(57)【要約】【課題】開閉構造を有する原稿読取部の開閉を行う駆動源を専用の駆動源としない構成を提供することを目的とする。【解決手段】駆動モータの駆動力をクラッチ装置２０６と２０７に伝え、クラッチ装置２０６を介して開閉軸２０３を回転させ、クラッチ装置２０７を介して、画像読取ユニット２１３を移動させる。２つのクラッチ装置の一方を接続し、他方を開放することで、開閉部２００の開閉動作と画像読取ユニット２１３の移動とを一つの駆動モータ２０５によって行う。なお、開閉部２００の開閉と画像読取ユニット２１３の移動とを同時に行うことはないので、上記の動作は支障なく行われる。【選択図】図２
2011041034.tif 000002
【特許請求の範囲】
【請求項１】
原稿を置く原稿置き面と、
前記原稿置き面に原稿を押し付ける機能を有し、開閉軸を軸として前記原稿置き面に対して開閉する開閉部と、
前記原稿置き面に置かれた原稿を移動しながら読み取る読取手段と、
前記開閉部を開閉させる駆動力と前記読取手段を移動させる駆動力とを発生する駆動力発生手段と、
前記開閉部への前記駆動力の伝達と前記読取手段への前記駆動力の伝達のいずれか一方を選択する選択手段と
を備えることを特徴とする画像読取装置。
【請求項２】
前記読取手段は、前記開閉部に配置されていることを特徴とする請求項１に記載の画像読取装置。
【請求項３】
前記開閉部の開閉動作の指示を受け付ける受付手段と、
前記受付手段が前記開閉動作の指示を受け付けた際に、前記読取手段を前記開閉軸に向けて移動させる制御を行う制御手段と
を更に備えることを特徴とする請求項２に記載の画像読取装置。
【請求項４】
前記開閉軸の軸方向は、前記読取手段の前記移動の方向と０．１％以内の誤差範囲で直交していることを特徴とする請求項１〜３のいずれか一項に記載の画像読取装置。
【請求項５】
前記開閉部を開閉させる駆動力を前記駆動手段から前記開閉部に伝達する伝達手段を備え、
前記伝達手段は、前記開閉部に予め決められた値を超えた負荷が加えられた際に前記駆動力の伝達を制限する制限手段を備えていることを特徴とする請求項１〜４のいずれか一項に記載の画像読取装置。
【請求項６】
請求項１〜５のいずれか一項に記載の画像読取装置と、
前記画像読取装置が読み取った画像を記録媒体上に形成する画像形成手段と
を備えることを特徴とする画像形成装置。  
【発明の詳細な説明】
【技術分野】
【０００１】
本発明は、画像読取装置および画像形成装置に関する。
【背景技術】
【０００２】
特許文献１には、押し上げ部材による画像形成装置上部の自動原稿読取装置の開閉をモータにより行う構成が記載されている。特許文献２には、駆動モータにより原稿圧着板の開閉を行う構成が記載されている。
【先行技術文献】
【特許文献】
【０００３】
【特許文献１】特開２００４−２０８０４公報
【特許文献２】特開２００６−１４５７０８号公報
【発明の概要】
【発明が解決しようとする課題】
【０００４】
開閉構造を有する原稿読取部の開閉を行う駆動源を専用の駆動源としない構成を提供することを目的とする。
【課題を解決するための手段】
【０００５】
請求項１に記載の発明は、原稿を置く原稿置き面と、前記原稿置き面に原稿を押し付ける機能を有し、開閉軸を軸として前記原稿置き面に対して開閉する開閉部と、前記原稿置き面に置かれた原稿を移動しながら読み取る読取手段と、前記開閉部を開閉させる駆動力と前記読取手段を移動させる駆動力とを発生する駆動力発生手段と、前記開閉部への前記駆動力の伝達と前記読取手段への前記駆動力の伝達のいずれか一方を選択する選択手段とを備えることを特徴とする画像読取装置である。
【０００６】
請求項２に記載の発明は、請求項１に記載の発明において、前記読取手段は、前記開閉部に配置されていることを特徴とする。
【０００７】
請求項３に記載の発明は、請求項２に記載の発明において、前記開閉部の開閉動作の指示を受け付ける受付手段と、前記受付手段が前記開閉動作の指示を受け付けた際に、前記読取手段を前記開閉軸に向けて移動させる制御を行う制御手段とを更に備えることを特徴とする。
【０００８】
請求項４に記載の発明は、請求項１〜３のいずれか一項に記載の発明において、前記開閉軸の軸方向は、前記読取手段の前記移動の方向と０．１％以内の誤差範囲で直交していることを特徴とする。
【０００９】
請求項５に記載の発明は、請求項１〜４のいずれか一項に記載の発明において、前記開閉部を開閉させる駆動力を前記駆動手段から前記開閉部に伝達する伝達手段を備え、前記伝達手段は、前記開閉部に予め決められた値を超えた負荷が加えられた際に前記駆動力の伝達を制限する制限手段を備えていることを特徴とする。
【００１０】
請求項６に記載の発明は、請求項１〜５のいずれか一項に記載の画像読取装置と、前記画像読取装置が読み取った画像を記録媒体上に形成する画像形成手段とを備えることを特徴とする画像形成装置である。  
【発明の効果】
【００１１】
請求項１に記載の発明によれば、開閉構造を有する原稿読取部の開閉を行う駆動源を専用の駆動源としない構成が提供される。
【００１２】
請求項２に記載の発明によれば、画像の読み取りを行う原稿の被複写面が見える状態で原稿を配置することができる。
【００１３】
請求項３に記載の発明によれば、駆動系に加わる負荷を抑えることができる。
【００１４】
請求項４に記載の発明によれば、駆動系を簡素化できる。
【００１５】
請求項５に記載の発明によれば、手動による開閉部の開閉が可能となる。
【００１６】
請求項６に記載の発明によれば、請求項１の優位性を有する画像形成装置を備えた画像形成装置が得られる。
【図面の簡単な説明】
【００１７】
【図１】実施形態の画像形成装置の概念図である。
【図２】実施形態における読取光学系と開閉部の駆動系を示す概念図である。
【図３】実施形態の制御系の構成を示すブロック図である。
【図４】実施形態の動作制御の一例を示すフローチャートである。
【図５】実施形態の動作制御の一例を示すフローチャートである。
【図６】実施形態における読取光学系と開閉部の駆動系を示す概念図である。
【発明を実施するための形態】
【００１８】
（構成）
図１は、実施形態の画像形成装置の概念図である。図１には、画像形成装置１０が示されている。画像形成装置１０は、画像読取装置２２０と画像形成手段が合体した構成を有している。図１には、画像形成手段を備えた本体１００と、画像読取手段を備えた開閉部２００が示されている。
【００１９】
本体１００は、記録紙収納装置１０１を備えている。記録紙収納装置１０１には、シート状の記録媒体である記録紙１０２が複数枚収納されている。記録媒体は、紙に限定されず、ＯＨＰ用紙等の樹脂製のものであってもよい。
【００２０】
記録紙収納装置１０１から、図示省略した用紙送り出し機構により、搬送経路１０３に記録紙が送り出される。搬送経路１０３には、搬送ロール機構１０４および１０５が配置されており、記録紙を２次転写部１０６に向けて搬送する。
【００２１】
２次転写部１０６は、転写ロールと対向ロールとを備え、その間に記録紙と転写ベルト１０７とを挟み込むことで、転写ベルト１０７上に形成されたトナー像を記録紙上に２次転写する。
【００２２】
転写ベルト１０７は、中間転写体の一例であり、閉じた柔軟性のある帯状の部材により構成されている。転写ベルト１０７は、ガイドロール１０８、１０９によってガイドされ、ガイドロール１０９により駆動されて図の反時計周り方向に回転する。転写ベルト１０７には、感光体ドラム１１０、１１１、１１２および１１３からトナー像が１次転写される。感光体ドラム１１０〜１１３のそれぞれには、Ｙ（イエロー）、Ｍ（マゼンダ）、Ｃ（シアン）、Ｋ（ブラック）の各基本色のトナー像が形成され、それが転写ベルト１０７に１次転写される。
【００２３】
感光体ドラム１１０〜１１３のそれぞれは、図示省略した、クリーニング装置、帯電装置、露光装置、トナーを供給する現像装置を図の反時計回り方向に沿って備えている。感光体ドラム１１０〜１１３のぞれぞれは、図の反時計回り方向に回転し、その際にその表面がクリーニング装置においてクリーニングされ、クリーニングされた部分に帯電が施され、帯電した部分に露光による描画が行われて静電潜像が形成され、この静電潜像にトナー（画像形成材料の粉体）が現像装置から供給されてトナー像が形成される。
【００２４】
感光体ドラム１１０〜１１３のそれぞれに形成されたＹＭＣＫの各トナー像は、転写ベルト１０７上に重ねられて形成される。これにより、転写ベルト１０７上にカラーのトナー像が形成される。このトナー像は、転写ベルト１０７の回転により、２次転写部１０６に向かって搬送され、２次転写部１０６において、搬送経路１０３を図の左方向から搬送されてきた記録紙に２次転写される。
【００２５】
２次転写部１０６においてトナー像が転写された記録紙は、画像定着部１１４に送られ、そこでトナー像の定着処理が行われる。画像定着部１１４は、加熱ロールと対向ロールとを備え、熱と圧力を記録紙に加え、記録紙上のトナー像を画像として定着させる。画像定着部１１４を通過した記録紙は、搬送ロール機構１１５から記録紙排出面１１７に排出される。
【００２６】
記録紙の両面に画像を形成する場合は、搬送ロール機構１１５から反転装置１１８に記録紙が送られ、そこで記録紙がスイッチバックされて、裏面画像形成用搬送経路１１９を搬送される。裏面画像形成用搬送経路１１９を搬送された記録紙は、搬送経路１０３に供給され、再び２次転写部１０６に至る。
【００２７】
画像形成装置１００は、コントローラ１２０を備えている。コントローラ１２０は、コンピュータとしての機能を有し、ＣＰＵ、メモリ、インタフェース回路、時計機能を備え、画像形成に係る処理、および後述する処理を実行する。コントローラ１２０に係る構成については後述する。
【００２８】
本体１００は、光学センサ１２２を備えている。光学センサ１２２は、光検出センサであり、開閉部２００が本体１００に対して閉じた状態であるか、開いた状態であるかを検出する。
【００２９】
本体１００の最上面は、原稿置き面１２１とされている。原稿置き面１２１に読み取る原稿が置かれる。原稿置き面１２１は、リフト装置１２３により、上昇および下降が可能とされている。リフト装置１２３は、図１では図示省略されているモータとギア機構を用いた原稿置き面リフト機構により駆動される。
【００３０】
原稿置き面１２１におかれた原稿は、開閉部２００を閉じた状態で、開閉部２００により原稿置き面１２１に押し付けられ、開閉部２００が備えた画像読取手段により読み取られる。この画像読取手段により読み取られた画像は、本体１００内の画像形成装置により、記録紙上に画像として形成される。もちろん、読み取った画像を電子データとして保存したり、外部に出力したりすることも可能である。
【００３１】
開閉部２００は、ヒンジ機構２０１により、ヒンジ機構２００の部分を軸として本体１００に対して開閉が可能な構造とされている。図２は、開閉部２００内部における駆動系の概要を示す概念図である。図２に示すようにヒンジ機構２０１は、２つ配置されている。ヒンジ機構２０１には、ヒンジ機構２０１を本体１００に取り付けるための本体取り付け部材２０２を備えている。ヒンジ機構２０１には、開閉軸２０３が貫通している。開閉軸２０３が回転すると、開閉部取り付け部２０４が開閉軸２０３を軸として回転する。開閉部材取り付け部２０４は、開閉部２００に固定されており、開閉部材取り付け部２０４が、開閉軸２０３を軸として回転することで、開閉部２００の本体１００に対する開閉が行われる。
【００３２】
図１に示す開閉部２００は、図２に示すように駆動モータ２０５を備えている。駆動モータ２０５の回転は、クラッチ装置２０６と２０７に伝えられる。クラッチ装置２０６と２０７は、磁力によりクラッチの接続と解放（非接続）を制御する電磁クラッチである。クラッチ装置２０６と２０７は、一方が接続の場合は、他方が解放となる制御が行われる。
【００３３】
クラッチ装置２０６は、トルクリミッター機能を内蔵した減速ギア装置２０８に接続されている。減速ギア装置２０８は、クラッチ装置２０６からの回転を適切な回転数に減速する機能と、駆動力（あるいは制動力）の伝達を制限する制限手段として機能するトルクリミッター機能を備えている。このトルクリミッター機能は、開閉軸２０３を強制的に回転させようとする外力が作用した際に、その力が予め定めたトルクを超える値となると、駆動モータ２０５からの駆動力（あるいは制動力）が作用していても、その力の伝達が制限され、開閉軸２０３が外力に従って回転するようにする機能である。
【００３４】
クラッチ装置２０７は、減速ギア装置２０９に接続され、減速ギア装置２０９は、プーリ２１０に接続されている。プーリ２１０と、プーリ２１０と対となるプーリ２１１との間には、駆動ベルト２１２が掛け渡されている。駆動ベルト２１２には、画像読取ユニット２１３が固定されている。
【００３５】
画像読取ユニット２１３は、フォトダイオード素子の光検出素子をライン状に配置した光学ラインセンサである。画像読取ユニット２１３は、図のＸ軸方向に移動可能な支持構造とされている。
【００３６】
図１に示すように、開閉部２００は、光学センサ２１４を備えている。光学センサ２１４は、光検出センサであり、画像読取ユニット２１３を光学的に検出する。
【００３７】
開閉軸２０３の軸方向（Ｙ方向）と、画像読取ユニット２１３の移動方向（Ｘ方向）とは直交している。こうすることで、図２に示すようにシンプルな駆動力伝達系の構成で、２系統の駆動を一つの駆動モータで行う構成が実現される。開閉軸２０３の軸方向（Ｙ方向）と、画像読取ユニット２１３の移動方向（Ｘ方向）との直交関係は、角度にして０．１％の誤差範囲が許容されている。
【００３８】
（駆動系の動作）
クラッチ装置２０６を接続し、クラッチ装置２０７を解放（非接続）した状態において、駆動モータ２０５を回転させると、減速ギア装置２０８を介して、開閉軸２０３に回転力が伝達し、開閉部取り付け部２０４が回転する。これにより、開閉部２００の開閉動作が行われる。
【００３９】
クラッチ装置２０６が接続状態であっても、開閉部２００を手で動かすと、減速ギア装置２０８のトルクリミッター機能により、その力がある程度強いと、駆動モータ２０５の動作に係わらず開閉部２００が動く。つまり、開閉部２００を手動で動かすことができる。
【００４０】
クラッチ装置２０７を接続し、クラッチ装置２０６を解放した状態において、駆動モータ２０５を回転させると、減速ギア装置２０９を介して駆動力が伝達し、プーリ２１０が回転し、駆動ベルト２１２が回転する。これにより、画像読取ユニット２１３をＸ軸方向に移動させることができる。原稿置き面１２１に置かれた原稿を読み取る際には、開閉部２００を閉じ、画像読取ユニット２１３をＸ軸方向に動かすことで、画像読取ユニット２１３による原稿の光学的な読取が行われる。
【００４１】
（制御系の構成）
図３は、画像形成装置１０の制御系の概要を示すブロック図である。図３には、駆動モータ２０５、クラッチ装置２０７、クラッチ装置２０８、原稿置き面リフト機構３０２の動作がコントローラ１２０によって制御される構成が記載されている。原稿置き面リフト機構３０２は、図１のリフト装置１２３を駆動する機構である。コントローラ１２０には、操作パネル３０１、光学センサ１２２および光学センサ２１４から、各種の信号が入力される。これらの信号は、コントローラ１２０の動作に当たって参照される。操作パネル３０１は、図１では図示省略されている画像形成装置１０を操作するための各種スイッチが配置されたタッチパネルディスプレイである。
【００４２】
なお、図示する制御系の要素以外に、画像形成や電源制御に係る制御系を画像形成装置１０は備えているが、ここでは図示およびその説明は省略する。
【００４３】
（処理の一例）
以下、図３の制御系において実行される画像形成装置１０の動作の手順の一例を説明する。以下の処理は、コントローラ１２０内のメモリに記憶された動作プログラムにしたがって、コントローラ１２０において実行される。なお、この動作プログラムは、適当な記憶媒体に記憶され、そこから提供されるものであってもよい。
【００４４】
まず、電源投入時（あるいは待機状態の解除時）における画像形成装置１０の動作の一例を図４に基づいて説明する。図４は、動作の一例を示すフローチャートである。電源が投入されると処理が開始される（ステップＳ４０１）。処理が開始されると、まず画像読取ユニット２１３が基準位置にあるか否か、の判定が行われる（ステップＳ４０２）。ここで、画像読取ユニット２１３の基準位置は、画像読取ユニット２１３の移動範囲における最も開閉軸２０３（図２参照）寄りの位置とされている。
【００４５】
画像読取ユニット２１３が基準位置にあれば、ステップＳ４０４に進み、そうでなければ、画像読取ユニット２１３を開閉軸２０３の方向に動かし、基準位置に移動させる（ステップＳ４０３）。この際、クラッチ装置２０６を解放、クラッチ装置２０７を接続とした状態において、駆動モータ２０５を回転させる。
【００４６】
ステップＳ４０４では、開閉部２００を閉める動作を行う。この際、クラッチ装置２０６を接続、クラッチ装置２０７を解放とした状態において、駆動モータ２０５を回転させ、開閉軸２０３を回転させることで、開閉部２００の閉動作を行う。開閉部２００が閉まった状態となったら、処理を終了する（ステップＳ４０５）。なお、開閉部２００が閉まっていれば、ステップＳ４０５は実行されず、処理は終了する。
【００４７】
次に、原稿の画像の読取を行う際の処理の手順の一例を説明する。図５は、動作の一例を示すフローチャートである。ユーザにより、図３の操作パネル３０１が操作され、画像の読取処理の開始ボタン（あるいは開閉部２００の開動作の開始ボタン）が押されると、図５の処理が開始される（ステップＳ５０１）。
【００４８】
処理が開始されると、画像読取ユニット２１３が基準位置にあるか否かの判定が行われ（ステップＳ５０２）、画像読取ユニット２１３が基準位置にあれば、ステップＳ５０４に進み、そうでなければ、ステップＳ５０３に進む。ここで、画像読取ユニット２１３の基準位置は、画像読取ユニット２１３の移動範囲における最も開閉軸２０３（図２参照）寄りの位置とされている。
【００４９】
ステップＳ５０３では、画像読取ユニット２１３を開閉軸２０３の方向に移動させ、基準位置に位置させる。この動作では、図２のクラッチ装置２０６を解放、クラッチ装置２０７を接続とした状態において、駆動モータ２０５を回転させる。
【００５０】
ステップＳ５０３の後、ステップＳ５０４に進む。ステップＳ５０４では、開閉部２００を開状態（開けた状態）とする動作が行われる。この動作では、クラッチ装置２０６を接続、クラッチ装置２０７を解放とした状態において、駆動モータ２０５を回転させる。なお、この例において、開状態は、開閉部２００が水平面から７５°〜９５°の角度まで立ち上がった状態であるとする。
【００５１】
開閉部２００が開いた状態となったら、ユーザにより図３の操作パネル３０１が操作され、画像の読取処理の開始を指示する旨の操作が行われるまで待機する。この間に、ユーザは、原稿置き面１２１上に原稿を読み取る面を上向きにして置く。そして、ユーザにより、図３の操作パネル３０１に対する画像の読取処理の開始を指示する旨の操作が行われて、それが受け付けられると（ステップＳ５０５）、開閉部２００を閉じる動作が行われる（ステップＳ５０６）。この際、図２のクラッチ装置２０６を接続、クラッチ装置２０７を解放とした状態において、駆動モータ２０５を回転させる。
【００５２】
次いで、リフト装置１２３の機能により原稿置き面１２１を上昇させ（ステップＳ５０７）、原稿の被読取面を開閉部２００の下面に押し付ける。その後、画像読取ユニット２１３を移動させて、原稿置き面に置かれた原稿の画像の読取が行われる（ステップＳ５０８）。この際、図２のクラッチ装置２０６を解放、クラッチ装置２０７を接続とした状態において、駆動モータ２０５を回転させる。
【００５３】
画像の読取が終了した後、画像読取ユニット２１３を基準位置に戻し（ステップＳ５０９）、更に原稿置き面１２１を下降させる（ステップＳ５１０）。次に、開閉部２００を開ける動作制御が行われ（ステップＳ５１１）、開閉部２００が開いた状態とされる。この状態で、ユーザは、原稿を原稿置き面１２１から取り除くことができる。
【００５４】
そして、操作パネルの終了ボタンが押された場合、あるいは予め決められた期間に次の指示操作がない場合は、画像の読取処理を継続しないと判定され（ステップＳ５１２）、処理を終了する（ステップＳ５１３）。再度、画像の読取処理の開始ボタン（あるいは開閉部２００の開動作の開始ボタン）が押されると、ステップＳ５０５以下の処理が再開される。
【００５５】
（優位性）
以上述べた例示によれば、駆動モータ２０５の駆動力をクラッチ装置２０６と２０７に伝え、クラッチ装置２０６を介して開閉軸２０３を回転させ、クラッチ装置２０７を介して、画像読取ユニット２１３を移動させる。２つのクラッチ装置の一方を接続し、他方を開放する構成とすることで、開閉部２００の開閉動作と画像読取ユニット２１３の移動とを一つの駆動モータ２０５によって駆動することができる。なお、開閉部２００の開閉と画像読取ユニット２１３の移動とを同時に行うことはないので、上記の動作は支障なく行われる。
【００５６】
この構成によれば、開閉部２００の開閉動作の駆動源と画像読取ユニット２１３を移動させるための駆動源とを同じ駆動モータ２０５とでき、駆動モータの数を減らし、部品コストを抑えることができる。また、駆動系をシンプルな構成とでき、装置全体を小型化することができる。
【００５７】
画像読取ユニット２１３が開閉部２００側に配置されているので、原稿置き面１２１に置かれる原稿は、読み取り面を上として配置される。このため、ユーザが読み取り面を視認することができ、細かい位置あわせや原稿の向きの調整が容易に行える。
【００５８】
開閉部２００を開閉させる前に、画像読取ユニット２１３を開閉軸２０３に向けて移動させ（基準位置への移動）、画像読取ユニット２１３を開閉軸２０３の側に寄せることで、駆動モータ２０５の負荷となる開閉部２００の回転モーメントを下げることができる。このため、駆動モータ２０５の負荷を低減することができ、また消費電力やギア系に加わる負担を抑えることができる。
【００５９】
開閉軸２０３の軸方向（Ｙ方向）と、画像読取ユニット２１３の移動方向（Ｘ方向）とが０．１％の角度誤差の範囲で直交した関係とすることで、図２に示すように回転力を伝達する軸方向を変更することなく、シンプルな構成で、駆動モータ２０５の駆動力を２系統に分けることができる。
【００６０】
減速ギア装置２０８にトルクリミッター機能を持たせることで、手動で開閉部２００の開閉を行うことができる。また、駆動モータ２０５による開閉動作の途中において、何らかの理由により、その動きを止める力が働いた際に、クラッチ装置２０６や駆動モータ２０５に過大な負荷が加わることを防ぐことができる。
【００６１】
原稿の複写物を得る作業を行う際に、ボタン操作だけで開閉部２００の開閉動作が行われるので、開閉部２００を手で動かす操作が必要とされない。
【００６２】
（変形例）
実施形態では、画像の読取装置を備えた画像形成装置の例を説明したが、画像形成機能を備えず、所謂スキャナーと呼ばれる画像の読み取りだけを行う画像読取装置も実施可能である。この場合、図１の符号２２０の部分を独立させて、画像読取装置とする。この構成では、読み取った画像は、電子データとされ、外部に出力されるか、適当な記録媒体に記録される。
【００６３】
画像読取装置を開閉部に配置しない構成も可能である。以下この一例を説明する。図６は、実施形態の他の例を示す概念図である。図６には、画像読取装置６００が示されている。画像読取装置６００は、本体６０１に開閉部６０２が、開閉動作が可能な状態で結合した構造を有している。
【００６４】
開閉部６０２は、ヒンジ機構６０３によって本体６０１に取り付けられている。ヒンジ機構６０３は、開閉軸６０４を回転可能な状態で支持し、本体取り付け部材６１０によって本体６０１に固定されている。開閉軸６０４には、ギア６０５が固定されている。ギア６０５は、本体６０１側に配置されたトルクリミッター付き減速ギア装置６０６から駆動力が伝達される。減速ギア装置６０６には、クラッチ装置６０７を介して駆動モータ６０８の駆動力が伝えられる。この例では、クラッチ装置６０７と駆動モータ６０８は、本体６０１に配置されている。
【００６５】
また駆動モータ６０８は、クラッチ装置６０９に駆動力を伝え、クラッチ装置６０９は、減速ギア装置６１１に駆動力を伝える。この駆動力は、減速ギア装置６１１から、プーリ６１２に伝わり、プーリ６１２と６１３との間に掛け渡された駆動ベルト６１４に伝わり、駆動ベルト６１４を回転させる。駆動ベルト６１４には、画像読取ユニット６１５が固定されており、駆動ベルト６１４が回転すると、画像読取ユニット６１５がＸ軸方向に移動する。
【００６６】
クラッチ装置６０７を解放とし、クラッチ装置６０９を接続として状態において、駆動モータ６０８を回転させると、駆動モータ６０８の駆動力が、減速ギア装置６１１からプーリ６１１に伝わり、駆動ベルト６１４が回転し、画像読取ユニット６１５がＸ軸方向に移動する。
【００６７】
また、クラッチ装置６０７を接続とし、クラッチ装置６０９を解放として状態において、駆動モータ６０８を回転させると、駆動モータ６０８の駆動力が、減速ギア装置６０６から開閉軸６０４に伝わり、開閉部６０３の開閉動作が行われる。
【産業上の利用可能性】
【００６８】
本発明は、画像読取装置および画像形成装置に利用することができる。
【符号の説明】
【００６９】
１０…画像形成装置、１００…本体、２００…開閉部、１０１…記録紙収納装置、１０２…記録紙、１０３…搬送経路、１０４…搬送ロール機構、１０５…搬送ロール機構、１０６…２次転写部、１０７…転写ベルト、１０８…ガイドロール、１０９…ガイドロール、１１０〜１１３感光体ドラム、１１４…画像定着部、１１５…搬送ロール機構、１１７…記録紙排出面、１１８…反転装置、１１９…裏面画像形成用搬送経路、１２０…コントローラ、１２１…原稿置き面、１２２…光学センサ、１２３…リフト装置、２００…開閉部、２０１…ヒンジ機構、２０２…本体取り付け部材、２０３…開閉軸、２０４…開閉部取り付け部、２０５…駆動モータ、２０６…クラッチ装置、２０７…クラッチ装置、２０８…減速ギア装置、２０９…減速ギア装置、２１０…プーリ、２１１…プーリ、２１２…駆動ベルト、２１３…画像読取ユニット、２１４…光学センサ。
【図１】
2011041034.tif 000003
【図２】
2011041034.tif 000004
【図３】
2011041034.tif 000005
【図４】
2011041034.tif 000006
【図５】
2011041034.tif 000007
【図６】
2011041034.tif 000008